(57)【特許請求の範囲】
【請求項１】
ボンディングワイヤを巻き付ける筒部と、その筒部の両端部にフランジ部を有するボンディングワイヤ用スプールにおいて、上記両フランジ部の一方のフランジ部における筒部と反対側に、外方に突出する把持部を一体的に設け、前記一方のフランジ部の周面に、略キャップ状のスプールケースの下部開口縁部を嵌合保持させる構成とし、上記フランジ部および前記把持部を上記スプールケースの下部開口部を塞ぐ底蓋に兼用したことを特徴とするボンディングワイヤ用スプール。
【発明の詳細な説明】
【０００１】
【発明の属する技術分野】
本発明は、例えば半導体素子のチップ電極と外部リードとを接続する場合などに用いられるボンディングワイヤを巻き付けるためのスプールに関する。
【０００２】
【従来の技術】
従来、例えば半導体素子のチップ電極と外部リードとを接続するためのボンディングワイヤＷは、一般に直径０．０１〜０．１ｍｍ程度の金線等が用いられ、図４に示すような両端部にフランジ部１１・１２を有するスプール１の筒部１０に巻に付けた状態で使用される。なお、１つのスプールに巻付けるワイヤの長さは、一般に５００〜２０００ｍ程度である。
【０００３】
この場合、ワイヤ表面にごみ等が付着すると、ボンディング不良等の原因となるため、クリーンルーム等でスプール１にボンディングワイヤＷを巻付けると共に、そのワイヤＷを巻付けたスプール１を図４に示すような合成樹脂等からなる略キャップ状のスプールケース２で覆い、そのケース２の下部に底蓋３を嵌めて密閉した状態で運搬・保管等している。図中、３０はスプールケース２の下部開口縁部に嵌合する短筒部、２１・３１は上記スプールケース２および底蓋３の内面に一体的に形成した凸部で、その凸部２１・３１を上記密閉時にスプール１の筒部１０内に嵌合することによってスプール１が位置決め固定される。
【０００４】
そして、上記のようにスプールケース２および底蓋３等で密閉収容したスプール１をボンディング機（ワイヤボンダ）に装着する際には、底蓋３を持ってスプールケース２を取外した後、スプール１の筒部１０に巻かれているボンディングワイヤＷに指等が触れないように注意しながら図４に示すように一方のフランジ部１１等を指等で摘んで底蓋３からスプール１を取出し、図に省略したボンディング機の所定の位置にセットするものである。
【０００５】
【発明が解決しようとする課題】
ところが最近、高速の自動ボンディング機の開発に伴いボンディング速度が速くなり、しかも１つの半導体素子当たりのワイヤ使用量が増加する傾向にあり、従来の巻き量ではスプール交換頻度が高く、ボンディング作業の能率および作業性が低下する原因となっている。
【０００６】
そのため、スプール１へのワイヤＷの巻き量を増加させることが望まれており、それには、スプール１の筒部の径を大きくするか、あるいは筒部の長さを長くすればよいが、そのようにすると、既存のボンディング機への装着が困難になる等の不都合がある。
【０００７】
そこで、従来はスプール１の大きさ形状を変更することなく、ボンディングワイヤＷの巻き量を増加させているが、スプール１に巻き付けたボンディングワイヤＷの厚さ、すなわち外径寸法が大きくなり、そのスプール１をスプールケース２や底蓋３から取り出す際、あるいはボンディング機に装着する際に、往々にしてワイヤに指等が触れるおそれがあった。
【０００８】
上記のようにワイヤＷに指等が触れると、ワイヤが変形したり、あるいは汚れてしまうため、ボンディングに使用できない。また指等が接触した部分は取り除けばよいが、その除去作業はワイヤが細いため困難であり、しかも時間が掛かる等の問題がある。
【０００９】
本発明は上記の問題点に鑑みて提案されたもので、ボンディングワイヤの巻き量を増大させてもワイヤに指等が接触するおそれが少なく、しかもボンディング作業を迅速かつ良好に行うことのできるボンディングワイヤ用スプールを提供することを目的とする。
【００１０】
【課題を解決するための手段】
上記の目的を達成するために本発明によるボンディングワイヤ用スプールは、以下の構成としたものである。即ち、ボンディングワイヤを巻き付ける筒部と、その筒部の両端部にフランジ部を有するボンディングワイヤ用スプールにおいて、上記両フランジ部の一方のフランジ部における筒部と反対側に、外方に突出する把持部を一体的に設け、前記一方のフランジ部の周面に、略キャップ状のスプールケースの下部開口縁部を嵌合保持させる構成とし、上記フランジ部および前記把持部を上記スプールケースの下部開口部を塞ぐ底蓋に兼用したことを特徴とする。
【００１１】
上記のように構成されたスプールをスプールケース等から取り出したり、あるいはボンディング機に装着する際には、上記の把持部を指等で摘んで取り扱うことができ、その際、上記の把持部は一方のフランジ部の筒部と反対側において外方に突出させて設けられているので、スプールに巻付けたボンディングワイヤに不用意に指等が触れるのを可及的に低減することが可能となる。
【００１２】
また、上記スプールに前記のような略キャップ状のスプールケースを被せる場合、そのスプールケースの下部開口縁部を上記フランジ部の周面に嵌合保持させる構成とし、そのフランジ部および前記把持部をスプールケースの下部開口部を塞ぐ底蓋に兼用させるようにしたことにより、前記従来の底蓋を省略することができる。
【００１３】
【発明の実施の形態】
図１は本発明によるボンディングワイヤ用スプールの一実施形態を示す分解正面図であり、前記従来例と同様の機能を有する部材には同一の符号を付して説明する。
【００１４】
本実施形態は筒部１０とフランジ部１１・１２とからなるスプール１の一方のフランジ部１２の上記筒部１０と反対側に、該フランジ部１２と一体に把持部１３を設けると共に、上記フランジ部１２の外周面にスプールケース２の下部開口縁部を嵌合保持させるようにしたものである。
【００１５】
上記の把持部１３は、フランジ部１２よりも大径の円板状に形成され、スプール１をスプールケース２から取り出す際、もしくはボンディング機に装着する際には、図１の鎖線示のように上記把持部１３の周縁部を指Ｆ等で摘むことによって、スプール１に巻き付けたボンディングワイヤＷに不用意に指等が触れるのを防ぐことができる。
【００１６】
また上記のようにフランジ部１２の外周面にスプールケース２の下部開口縁部を嵌合保持させるようにしたことよって、スプール１に巻き付けたボンディングワイヤＷにごみ等が付着するのを防止できると共に、上記フランジ部１２および前記把持部１３がスプールケース２の下部開口部を塞ぐ底蓋としての機能を兼ね、前記従来の底蓋３を省略することができる。
【００１７】
なお上記フランジ部１２とスプールケース２との嵌合部には、必要に応じて抜け止め係止手段を設けてもよい。図２はその一例を示すもので、同図（ａ）はフランジ部１２とスプールケース２との嵌合部に互いに係合する凹凸部４を形成した例、同図（ｂ）はフランジ部１２の外周面の把持部１３との境界部に凹部５を形成し、それに係合する内向きの凸部６をスプールケース２下端部に形成した例である。上記の凹凸部４および凹部５と凸部６は、フランジ部１２およびスプールケース２の円周方向全長に設けるか、あるいは一部にのみ設けてもよい。また上記フランジ部１２とスプールケース２とを、ねじ結合させることもできる。
【００１８】
さらに前記の実施形態では、把持部１３をフランジ部１２の外側に該フランジ部１２よりも大径の円板状に形成したが、例えば図３に示すようにフランジ部１２を下方に長く形成し、そのフランジ部１２の下部を把持部１３とすると共に、フランジ部１２の上部をスプールケース２の嵌合部としてもよい。この場合、上記フランジ部を長くした分だけスプール１の長さが長くなるが、スプールの長さに制約を受けないボンディング機にあっては適用可能である。
【００１９】
【発明の効果】
以上説明したように本発明は、ボンディングワイヤＷを巻き付ける筒部１０と、その筒部の両端部にフランジ部１１・１２を有するボンディングワイヤ用スプール１において、上記両フランジ部の一方のフランジ部１２における筒部１０と反対側に、外方に突出する把持部１３を一体的に設けたから、ボンディングワイヤＷを巻き付けたスプール１をスプールケース２から取り出したり、ボンディング機に装着する際には、上記把持部１３を指等で摘むことによって、上記筒部１０へのボンディングワイヤＷの巻付け量を増大させた場合にも該ワイヤに不用意に指等が接触するのを可及的に低減させることができると共に、上記のようにボンディングワイヤＷの巻付け量を増大させることで、ボンディング機に装着したスプールの交換頻度が少なくて済み、ボンディング作業の能率や作業性を大幅に向上させることができる等の効果がある。
【図面の簡単な説明】
【図１】本発明によるボンディングワイヤ用スプールの一実施形態の分解正面図。
【図２】（ａ）・（ｂ）はスプールケースの抜け止め係止手段の構成例の説明図。
【図３】把持部の他の構成例を示す要部の縦断面図。
【図４】従来のボンディングワイヤ用スプールの一例を示す分解正面図。
【符号の説明】
１  スプール
１０  筒部
１１、１２  フランジ部
２  スプールケース
３  底蓋
【図１】
0003552352.tif 000002
【図２】
0003552352.tif 000003
【図３】
0003552352.tif 000004
【図４】
0003552352.tif 000005